(57)【要約】【課題】放電ランプの接続のみにより、当該累積点灯時間または累積点滅回数を自動的にリセットまたは継続させる放電ランプ点灯装置および照明器具を提供する。【解決手段】放電ランプ点灯装置１は、累積計時手段１３により累積計時された放電ランプ３の累積点灯時間が予め設定された基準寿命値以上のときであって、ランプ接続検出手段４がランプ点灯手段２および放電ランプ３の非接続を検出したときに、放電ランプ３の累積点灯時間をリセットするリセット手段１５を具備している。【選択図】図１
2004288576.tif 000002
【特許請求の範囲】
【請求項１】
放電ランプと；
放電ランプを点灯させるランプ点灯手段と；
ランプ点灯手段および放電ランプの接続状態を検出するランプ接続検出手段と；
放電ランプの点灯時間を累積計時する累積計時手段と；
累積計時手段により累積計時された放電ランプの累積点灯時間が予め設定された点灯寿命値以上のときであって、ランプ接続検出手段がランプ点灯手段および放電ランプの非接続を検出したときに、累積計時手段における放電ランプの累積点灯時間をリセットするリセット手段と；
を具備していることを特徴とする放電ランプ点灯装置。
【請求項２】
放電ランプと；
放電ランプを点灯させるランプ点灯手段と；
ランプ点灯手段および放電ランプの接続状態を検出するランプ接続検出手段と；
放電ランプの点滅回数を累積カウントする累積カウント手段と；
累積カウント手段により累積カウントされた放電ランプの累積点滅回数が予め設定された点滅寿命値以上のときであって、ランプ接続検出手段がランプ点灯手段および放電ランプの非接続を検出したときに、累積カウント手段における放電ランプの累積点滅回数をリセットするリセット手段と；
を具備していることを特徴とする放電ランプ点灯装置。
【請求項３】
リセット手段は、さらに外部信号が入力されるように構成され、当該外部信号が入力されると、放電ランプの累積点灯時間または累積点滅回数をリセットすることを特徴とする請求項１または２記載の放電ランプ点灯装置。
【請求項４】
請求項１ないし３いずれか一記載の放電ランプ点灯装置と；
この放電ランプ点灯装置を配設している照明器具本体と；
を具備していることを特徴とする照明器具。
【発明の詳細な説明】
【０００１】
【発明の属する技術分野】本発明は、放電ランプの累積点灯時間または累積点滅回数に基づいて、ランプ寿命を報知する放電ランプ点灯装置および照明器具に関する。
【０００２】
【従来の技術】放電ランプの累積点灯時間を記録し、累積点灯時間が放電ランプの寿命末期に相当する点灯時間に達すると、表示ランプなどの報知手段によりランプ寿命を認識させ、新品の放電ランプへの交換を促すことが行われている。このとき、新品の放電ランプへの交換が行われると、累積点灯時間のリセットを行う必要がある。そして、そのリセットが容易に、かつ確実に行われることが望まれている。
【０００３】
前記リセットが容易かつ確実に行われるものとして、例えば、蛍光ランプのソケットに付属するインターロックスイッチを備え、蛍光ランプをソケットから除去した状態でインターロックスイッチを操作し、その操作時間が所定値を超えたときにメモリの累積点灯時間のデータをリセットする蛍光灯点灯装置が提供されている（特許文献１参照。）。
【０００４】
また、蛍光ランプを点灯する点灯手段および蛍光ランプの未接続状態が所定時間を超えたときに、メモリにおける蛍光ランプの累積点灯時間をリセットする蛍光灯点灯装置が提供されている（特許文献２参照。）。この蛍光灯点灯装置は、所定時間内に取り外した蛍光ランプの清掃などの保守作業を行うことができる。
【０００５】
また、蛍光ランプの着脱が第１のソケット、第２のソケットの順であるときに累積点灯時間をリセットし、逆に、第２のソケット、第１のソケットの順のときに累積点灯時間のリセットを行わない蛍光灯点灯装置が提供されている（特許文献３参照。）。すなわち、ランプ交換に際しては、第１のソケット、第２のソケットの順に蛍光ランプを着脱させ、清掃などの保守作業に際しては、第２のソケット、第１のソケットの順に蛍光ランプを着脱させるものである。
【０００６】
【特許文献１】特開２０００−１２２７５号公報（第３−４頁、第１図）
【０００７】
【特許文献２】特開平１１−２８３７８３号公報（第３頁、第１図）
【０００８】
【特許文献３】特開２０００−２００６９２号公報（第２−３頁、第２図）
【０００９】
【発明が解決しようとする課題】特許文献１は、累積点灯時間のリセットに際して、所定値を超えてインターロックスイッチを操作する必要があるので、手間を要し、煩わしいという欠点を有する。
【００１０】
また、特許文献２は、蛍光ランプを取り外した後、清掃などの保守作業を所定時間内に行う必要があり、所定時間を超えなければ新品の蛍光ランプへの交換ができないという欠点を有する。
【００１１】
また、特許文献３は、第１および第２のソケットへの蛍光ランプの着脱の順序を間違えて、累積点灯時間を誤ってリセットしたり、累積点灯時間をリセットし損なったりするという欠点を有する。
【００１２】
本発明は、放電ランプの接続のみにより、当該累積点灯時間または累積点滅回数を自動的にリセットまたは継続させる放電ランプ点灯装置および照明器具を提供することを目的とする。
【００１３】
【課題を解決するための手段】請求項１に記載の放電ランプ点灯装置の発明は、放電ランプと；放電ランプを点灯させるランプ点灯手段と；ランプ点灯手段および放電ランプの接続状態を検出するランプ接続検出手段と；放電ランプの点灯時間を累積計時する累積計時手段と；累積計時手段により累積計時された放電ランプの累積点灯時間が予め設定された点灯寿命値以上のときであって、ランプ接続検出手段がランプ点灯手段および放電ランプの非接続を検出したときに、累積計時手段における放電ランプの累積点灯時間をリセットするリセット手段と；を具備していることを特徴とする。
【００１４】
放電ランプの点灯時間は、全光点灯または調光点灯を問わないものである。
【００１５】
本発明によれば、放電ランプの累積点灯時間が予め設定された点灯寿命値以上となったときに、新品の放電ランプへの交換が行われると、ランプ接続検出手段によりランプ点灯手段および放電ランプの非接続が検出されたときに、リセット手段により放電ランプの累積点灯時間が自動的にリセットされる。一方、累積点灯時間が点灯寿命値を下回っているときに、ランプ点灯手段および放電ランプが非接続状態となっても、リセット手段による累積点灯時間のリセットが行われないので、清掃などの保守作業を時間の制約がなく行え、当該保守後、ランプ点灯手段および放電ランプが再接続されることにより、累積点灯時間の計時が継続される。
【００１６】
請求項２に記載の放電ランプ点灯装置の発明は、放電ランプと；放電ランプを点灯させるランプ点灯手段と；ランプ点灯手段および放電ランプの接続状態を検出するランプ接続検出手段と；放電ランプの点滅回数を累積カウントする累積カウント手段と；累積カウント手段により累積カウントされた放電ランプの累積点滅回数が予め設定された点滅寿命値以上のときであって、ランプ接続検出手段がランプ点灯手段および放電ランプの非接続を検出したときに、累積カウント手段における放電ランプの累積点滅回数をリセットするリセット手段と；を具備していることを特徴とする。
【００１７】
本発明によれば、放電ランプの累積点滅回数が予め設定された点滅寿命値以上となったときに、新品の放電ランプへの交換が行われると、ランプ接続検出手段によりランプ点灯手段および放電ランプの非接続が検出されたときに、リセット手段により放電ランプの累積点滅回数が自動的にリセットされる。一方、累積点滅回数が点滅寿命値を下回っているときに、ランプ点灯手段および放電ランプが非接続状態となっても、リセット手段による累積点滅回数のリセットが行われないので、清掃などの保守作業を時間の制約がなく行え、当該保守後、ランプ点灯手段および放電ランプが再接続されることにより、累積点滅回数のカウントが継続される。
【００１８】
請求項３に記載の放電ランプ点灯装置の発明は、請求項１または２記載の放電ランプ点灯装置において、リセット手段は、さらに外部信号が入力されるように構成され、当該外部信号が入力されると、放電ランプの累積点灯時間または累積点滅回数をリセットすることを特徴とする。
【００１９】
外部信号は、例えばスイッチのオンオフ操作または送信機からの送信信号によることができる。
【００２０】
本発明によれば、放電ランプの累積点灯時間または累積点滅回数が点灯寿命値または点滅寿命値に達していないときであって、当該放電ランプを新品の放電ランプに交換するときに、リセット手段に外部信号を入力することにより、リセット手段により累積点灯時間または累積点滅回数がリセットされる。
【００２１】
請求項４に記載の照明器具の発明は、請求項１ないし３いずれか一記載の放電ランプ点灯装置と；この放電ランプ点灯装置を配設している照明器具本体と；
を具備していることを特徴とする。
【００２２】
本発明によれば、放電ランプのランプソケットへの着脱のみにより、累積点灯時間または累積点滅回数が自動的にリセットまたは継続される照明器具が提供される。
【００２３】
【発明の実施の形態】以下、本発明の一実施の形態について、図面を参照して説明する。まず、本発明の第１の実施形態について説明する。
【００２４】
図１は、本発明の第１の実施形態を示す放電ランプ点灯装置のブロック図である。放電ランプ点灯装置１は、ランプ点灯手段としてのランプ点灯回路２、放電ランプとしての蛍光ランプ３、ランプ接続検出手段としてのランプ接続検出回路４および制御回路５を有して構成されている。
【００２５】
ランプ点灯回路２は、整流平滑回路６、アクティブ回路７、インバータ回路８および入力電圧検出回路９を有して構成されている。整流平滑回路６は、商用交流電源Ｖｓの交流電圧を整流平滑し、その直流電圧をアクティブ回路７に入力する。アクティブ回路７は、例えば昇圧チョッパ回路であり、入力した直流電圧を所定の出力電圧に変換してインバータ回路８に入力する。
【００２６】
インバータ回路８は、アクティブ回路７から出力された直流電圧を高周波電圧に変換して出力するように、スイッチ素子の電界効果トランジスタＦＥＴ１，ＦＥＴ２を用いてハーフブリッジ形に形成されている。すなわち、電界効果トランジスタＦＥＴ１および電界効果トランジスタＦＥＴ２の直列回路がアクティブ回路７の出力側に接続され、電界効果トランジスタＦＥＴ２の両端間にインダクタＬ１、直流カット用コンデンサＣ１および始動用コンデンサＣ２の直列回路が接続され、直流カット用コンデンサＣ１および始動用コンデンサＣ２の中点ＡにインダクタＬ１のフィラメント巻線Ｌ１ａおよびダイオードＤ１の直列回路の一端が接続され、電界効果トランジスタＦＥＴ２のソースにインダクタＬ１のフィラメント巻線Ｌ１ｂの一端が接続されている。そして、フィラメント巻線Ｌ１ａおよびダイオードＤ１の直列回路の両端は、ランプ点灯回路２の出力端子１０ａ，１０ａに接続され、フィラメント巻線Ｌ１ｂの両端は、ランプ点灯回路２の出力端子１０ｂ，１０ｂに接続されている。なお、ダイオードＤ１は、前記中点Ａに対して逆方向となるように接続されている。
【００２７】
そして、電界効果トランジスタＦＥＴ１および電界効果トランジスタＦＥＴ２のそれぞれのゲートは、駆動回路１１に接続されており、駆動回路１１は、制御回路５に接続されている。駆動回路１１は、制御回路５の制御信号に応じて、蛍光ランプ３の予熱時、始動時および点灯時にそれぞれ所定の間隔で電界効果トランジスタＦＥＴ１，ＦＥＴ２を交互にオンオフさせる。
【００２８】
入力電圧検出回路９は、整流平滑回路６およびアクティブ回路７の間に設けられている。すなわち、入力電圧検出回路９は、整流平滑回路６の出力側に接続された抵抗Ｒ１および抵抗Ｒ２の直列回路からなり、抵抗Ｒ２の両端電圧が制御回路５に入力されている。
【００２９】
上述のように構成されたランプ点灯回路２は、電界効果トランジスタＦＥＴ１，ＦＥＴ２のスイッチング動作により、出力端子１０ａ，１０ａ、１０ｂ，１０ｂに高周波電圧を出力して、蛍光ランプ３を点灯させる。
【００３０】
蛍光ランプ３は、フィラメント電極３ａ，３ｂのそれぞれの両端が図示しないランプソケットを介して出力端子１０ａ，１０ａ、１０ｂ，１０ｂに接続され、ランプ点灯回路２により付勢される。
【００３１】
そして、ランプ接続回路４は、抵抗Ｒ３〜抵抗Ｒ５、比較器ＣＰ１、ダイオードＤ２および基準電源Ｖｒｅｆ１を有して構成され、抵抗Ｒ３、抵抗Ｒ４および抵抗Ｒ５の直列回路がインバータ回路８の入力側に接続され、抵抗Ｒ３および抵抗Ｒ４の中点ＢがダイオードＤ１のカソード側に接続されている出力端子１０ａに接続されている。抵抗Ｒ３、抵抗Ｒ４および抵抗Ｒ５の直列回路には、アクティブ回路７の出力電圧が印加され、当該出力電圧は、抵抗Ｒ３〜抵抗Ｒ５により分圧される。
【００３２】
比較器ＣＰ１は、反転入力端子が基準電源Ｖｒｅｆ１に接続され、非反転入力端子がダイオードＤ２を介して抵抗Ｒ４および抵抗Ｒ５の中点Ｃに接続されている。すなわち、比較器ＣＰ１は、反転入力端子に基準電源Ｖｒｅｆ１の基準電圧が入力され、非反転入力端子に抵抗Ｒ５の両端電圧が入力される。なお、基準電源Ｖｒｅｆ１の負極側は、アースＥおよび電界効果トランジスタＦＥＴ２のソース側に接続されている。また、ダイオードＤ２は、カソードが前記中点Ｃ側、アノードが比較器ＣＰ１の非反転入力端子となるように接続されている。そして、比較器ＣＰ１の出力端子は、制御回路５に接続されている。
【００３３】
抵抗Ｒ５の両端電圧は、蛍光ランプ３がランプ点灯回路２の出力端子１０ａ，…，１０ｂに接続されているときに基準電源Ｖｒｅｆ１の基準電圧よりも高くなり、蛍光ランプ３が出力端子１０ａ，…，１０ｂから取り外されているときに基準電源Ｖｒｅｆ１の基準電圧よりも低くなるように、抵抗Ｒ３〜抵抗Ｒ５のそれぞれの抵抗値が予め設定されている。すなわち、商用交流電源Ｖｓが投入され、インバータ回路８が駆動しているときに、出力端子１０ａ，…，１０ｂに蛍光ランプ３が接続されていると、抵抗Ｒ５は、抵抗Ｒ３および抵抗Ｒ４とともにアクティブ回路７の出力電圧（インバータ回路８の入力電圧）を分圧し、その両端電圧が基準電源Ｖｒｅｆ１の基準電圧よりも高くなるものである。一方、インバータ回路８が駆動しているときに、出力端子１０ａ，…，１０ｂに蛍光ランプ３が接続されていないと、前記中点Ａからフィラメント巻線Ｌ１ａおよびダイオードＤ１の直列回路を介して前記中点Ｂに電流が流れ、前記中点Ｂおよび電界効果トランジスタＦＥＴ２のソースの間の電圧が抵抗Ｒ４および抵抗Ｒ５により分圧され、抵抗Ｒ５の両端電圧が基準電源Ｖｒｅｆ１の基準電圧よりも低くなるものである。
【００３４】
そして、比較器ＣＰ１は、抵抗Ｒ５の両端電圧が基準電源Ｖｒｅｆ１の基準電圧よりも高いときに出力端子よりロウ信号を出力し、抵抗Ｒ５の両端電圧が基準電源Ｖｒｅｆ１の基準電圧よりも低いときに出力端子よりハイ信号を出力する。すなわち、比較器ＣＰ１は、ランプ点灯回路２および蛍光ランプ３の接続状態を検出し、当該接続時にロウ信号を制御回路５に出力し、当該非接続時にハイ信号を制御回路５に出力する。
【００３５】
制御回路５は、主制御部１２を有して構成されている。そして、主制御部１２は、タイマ部（タイマ機能）１３、カウンタ部（カウンタ機能）１４、リセット部（リセット機能）１５およびメモリ部１６を有している。
【００３６】
主制御部１２は、ＣＰＵ、ＲＡＭおよびプログラムが格納されているＲＯＭを備え、プログラムに基づいて各種制御を行うものである。そして、主制御部１２は、入力電圧検出回路９に接続されており、抵抗Ｒ２の両端電圧が入力され、また、ランプ接続検出回路４の比較器ＣＰ１の出力端子に接続されており、ランプ点灯回路２および蛍光ランプ３の接続状態を示すロウ信号またはハイ信号が入力される。さらに、インバータ回路８の駆動回路１１に接続されており、電界効果トランジスタＦＥＴ１，ＦＥＴ２を所定のスイッチング周波数で駆動させる制御信号を送出するように形成されている。
【００３７】
タイマ部１３は、主制御部１２の制御により蛍光ランプ３の点灯時間を累積計時するものである。すなわち、商用交流電源Ｖｓが投入された後、主制御部１２は、入力電圧検出回路９から抵抗Ｒ２の両端電圧が入力され、かつランプ接続検出回路４の比較器ＣＰ１からランプ点灯回路２および蛍光ランプ３の接続を示すロウ信号が入力されると、タイマ部１３に蛍光ランプ３の点灯時間を計時させると共に、この点灯時間を常時メモリ部１６に記憶させる。そして、商用交流電源Ｖｓが投入されるごとに、メモリ部１６から蛍光ランプ３の累積点灯時間を読み出し、タイマ部１３に読み出した累積点灯時間から計時させる。
【００３８】
そして、主制御部１２は、入力電圧検出回路９から抵抗Ｒ２の両端電圧が入力されていても、ランプ接続検出回路４の比較器ＣＰ１からランプ点灯回路２および蛍光ランプ３の非接続を示すハイ信号が入力されていると、タイマ部１３の計時を不動作にさせる。主制御部１２、タイマ部１３およびメモリ部１６は、蛍光ランプ３の点灯時間を累積計時する累積計時手段を構成している。
【００３９】
カウンタ部１４は、主制御部１２の制御により蛍光ランプ３の点滅回数を累積カウントするものである。すなわち、主制御部１２は、入力電圧検出回路９から抵抗Ｒ２の両端電圧が入力され、かつランプ接続検出回路４の比較器ＣＰ１からロウ信号が入力されると、カウンタ部１４に蛍光ランプ３の点滅回数をカウントさせると共に、この点滅回数を常時メモリ部１６に記憶させる。そして、商用交流電源Ｖｓが投入されるごとに、メモリ部１６から蛍光ランプ３の累積点滅回数を読み出し、カウンタ部１４に読み出した累積点滅回数からカウントさせる。
【００４０】
そして、主制御部１２は、ランプ接続検出回路４の比較器ＣＰ１からハイ信号が入力されていると、カウンタ部１４によるカウントを不動作にさせる。主制御部１２、カウンタ部１４およびメモリ部１６は、蛍光ランプ３の点滅回数を累積カウントする累積カウント手段を構成している。
【００４１】
リセット部１５は、主制御部１２の制御により蛍光ランプ３の累積点灯時間および累積点滅回数をリセットするものである。すなわち、主制御部１２は、メモリ部１６に記憶されている蛍光ランプ３の累積点灯時間が予め設定された点灯寿命値以上のときに、ランプ接続検出回路４の比較器ＣＰ１からハイ信号が入力されると、リセット部１５にメモリ部１６に記憶されている累積点灯時間をリセットさせる。同じく、メモリ部１６に記憶されている蛍光ランプ３の累積点滅回数が予め設定された点滅寿命値以上のときに、ランプ接続検出回路４の比較器ＣＰ１からハイ信号が入力されると、リセット部１５にメモリ部１６に記憶されている累積点滅回数をリセットさせるものである。主制御部１２およびリセット部１５は、蛍光ランプ３の累積点灯時間および累積点滅回数をリセットするリセット手段を構成している。
【００４２】
メモリ部１６は、タイマ部１３により計時される蛍光ランプ３の累積点灯時間およびカウンタ部１４によりカウントされる蛍光ランプ３の累積点滅回数が記憶される。また、蛍光ランプ３の使用可能な累積点灯時間を示す点灯寿命値および蛍光ランプ３の使用可能な累積点滅回数を示す点滅寿命値がそれぞれ予め記憶されている。点灯寿命値および点滅寿命値は、蛍光ランプ３の種類や使用環境などに応じて適宜設定すればよく、例えば点灯寿命値は１２０００時間、点滅寿命値は２０００回である。
【００４３】
そして、主制御部１２は、メモリ部１６に記憶されている蛍光ランプ３の累積点灯時間が点灯寿命値以上になると、あるいは蛍光ランプ３の累積点滅回数が点滅寿命値以上になると、予め設定された所定期間ごとに一定時間にわたり、蛍光ランプ３を点滅させる点滅制御信号または蛍光ランプ３を明暗点灯させる明暗制御信号を駆動回路１１に送出して、蛍光ランプ３を点滅または明暗点灯させるように形成されている。これにより、蛍光ランプ３の寿命が報知され、新品の蛍光ランプへの交換が促される。また、蛍光ランプ３の寿命を報知させる報知手段として、表示ランプ（図示しない。）を点灯または点滅させるようにしてもよい。
【００４４】
また、主制御部１２は、外部スイッチ１７から外部信号が入力されるように構成されている。すなわち、主制御部１２は、内部に設けている抵抗（図示しない。）を介して外部スイッチ１７の接点１７ａ，１７ｂ間に小電圧例えば０．１Ｖを出力している。そして、外部スイッチ１７がオンされ、接点１７ａ，１７ｂ間が短絡されたときに抵抗に流れる電流を検出することにより、外部信号の入力としている。
【００４５】
そして、主制御部１２は、外部スイッチ１７がオンされると、リセット部１５に対してメモリ部１６に記憶されている蛍光ランプ３の累積点灯時間および累積点滅回数を強制的にリセットさせるように形成されている。すなわち、蛍光ランプ３の累積点灯時間が点灯寿命値に到達していなくても、または蛍光ランプ３の累積点滅回数が点滅寿命値に到達していなくても、あるいはランプ接続検出回路４によるランプ点灯回路２および蛍光ランプ３の接続状態の検出に係わらず、外部スイッチ１７がオンされると、蛍光ランプ３の累積点灯時間および累積点滅回数はリセットされる。外部スイッチ１７は、主制御部１２およびリセット部１５と共にリセット手段を構成している。
【００４６】
次に、本発明の第１の実施形態の作用について述べる。
【００４７】
ランプ点灯回路２の出力端子１０ａ，…，１０ｂに蛍光ランプ３のフィラメント電極３ａ，３ｂが接続されている状態で、商用交流電源Ｖｓが投入されると、出力端子１０ａ，…，１０ｂにインバータ回路８の高周波電圧が出力され、蛍光ランプ３は点灯される。このとき、制御回路５の主制御部１２には、ランプ接続検出回路４からロウ信号が入力され、入力電圧検出回路９から抵抗Ｒ２の両端電圧が入力される。
【００４８】
主制御部１２は、前記ロウ信号および抵抗Ｒ２の両端電圧が入力されている期間にわたり、当該期間を蛍光ランプ３の点灯時間として、タイマ部１３に累積計時させ、メモリ部１６に記憶させる。メモリ部１６には、タイマ部１３による累積計時に付随して、蛍光ランプ３の累積点灯時間が記憶されていく。
【００４９】
また、主制御部１２は、前記ロウ信号および抵抗Ｒ２の両端電圧が入力されるごとに、蛍光ランプ３が点滅されたと判断し、カウンタ部１４に累積カウントさせ、メモリ部１６に記憶させる。メモリ部１６には、カウンタ部１４による累積カウントに付随して、蛍光ランプ３の累積点滅回数が記憶されていく。
【００５０】
そして、蛍光ランプ３の累積点灯時間がメモリ部１６に記憶されている点灯寿命値以上になったときに、または蛍光ランプ３の累積点滅回数がメモリ部１６に記憶されている点滅寿命値以上になったときに、主制御部１２は、蛍光ランプ３が寿命であると判断して、所定期間ごとに一定時間にわたり、蛍光ランプ３を点滅または明暗点灯させる。これにより、蛍光ランプ３の寿命が報知され、認識される。そして、寿命と判断された蛍光ランプ３は、新品の蛍光ランプに交換されることになる。
【００５１】
主制御部１２は、蛍光ランプ３が寿命であると判断した後に、ランプ接続検出回路４からハイ信号が入力されると、寿命と判断した蛍光ランプ３が新品の蛍光ランプに交換されると判断して、リセット部１５にメモリ部１６に記憶されている累積点灯時間および累積点滅回数を消去させる。これにより、蛍光ランプ３の累積点灯時間および累積点滅回数はリセットされる。
【００５２】
そして、ランプ点灯回路２の出力端子１０ａ，…，１０ｂに新品の蛍光ランプ３が接続され、ランプ接続検出回路４からロウ信号が入力されると、新品の蛍光ランプ３に対して、タイマ部１３による累積点灯時間の計時およびカウンタ部１４による累積点滅回数のカウントがなされ、累積点灯時間および累積点滅回数がそれぞれメモリ部１６に記憶されていく。
【００５３】
そして、主制御部１２は、ランプ点灯回路２の出力端子１０ａ，…，１０ｂに蛍光ランプ３が接続されず、ランプ接続検出回路４からハイ信号が入力されるようになっても、蛍光ランプ３の累積点灯時間および累積点滅回数がそれぞれ点灯寿命値および点滅寿命値を下回っているときには、当該累積点灯時間および累積点滅回数をリセットさせないものである。すなわち、蛍光ランプ３が寿命であると判断していないときに、ランプ接続検出回路４からハイ信号が入力されると、蛍光ランプ３の清掃などの保守作業が行われると判断するものである。そして、蛍光ランプ３がランプ点灯回路２の出力端子１０ａ，…，１０ｂに再接続され、ランプ接続検出回路４からロウ信号が再入力されると、蛍光ランプ３の累積点灯時間の計時をタイマ部１３に継続させ、累積点滅回数のカウントをカウンタ部１４に継続させる。
【００５４】
そして、主制御部１２は、外部スイッチ１７がオンされ、外部信号が入力されると、強制的にリセット部１５にメモリ部１６に記憶されている蛍光ランプ３の累積点灯時間および累積点滅回数を消去させる。すなわち、主制御部１２により蛍光ランプ３が寿命であると判断される前に、当該蛍光ランプ３を新品の蛍光ランプに交換したときに、外部スイッチ１７をオンすることにより、新品の蛍光ランプに対して累積点灯時間の計時および累積点滅回数のカウントが行われるようになる。
【００５５】
上述したように、累積点灯時間と点灯寿命値、累積点滅回数と点滅寿命値のそれぞれの比較が行われているので、ランプ点灯回路２の出力端子１０ａ，…，１０ｂに蛍光ランプ３を接続または非接続するのみで、蛍光ランプ３の累積点灯時間および累積点滅回数が自動的にリセットまたは継続される。また、外部スイッチ１７の操作により、強制的に蛍光ランプ３の累積点灯時間および累積点滅回数がリセットされる。
【００５６】
なお、放電ランプ点灯装置１は、累積計時手段または累積カウント手段のどちらか一方を具備していればよい。
【００５７】
次に、本発明の第２の実施形態について述べる。
【００５８】
図２は、本発明の第２の実施形態を示す放電ランプ点灯装置のブロック図である。なお、図１と同一部分には同一符号を付して説明は省略する。
【００５９】
図２に示す放電ランプ点灯装置１８は、図１に示す放電ランプ点灯装置１において、ランプ接続検出回路４に代えてランプ接続検出手段としてのリミットスイッチ１９が図示しないランプソケットに設けられている。リミットスイッチ１９は、制御回路５の主制御部１２に接続されている。蛍光ランプ３がランプソケットに装着されてランプ点灯回路２の出力端子１０ａ，…，１０ｂに接続されると、リミットスイッチ１９はオンされ、このオン信号が主制御部１２に入力される。そして、蛍光ランプ３がランプソケットから取り外されると、リミットスイッチ１９はオフされ、このオフ信号が主制御部１２に入力される。
【００６０】
また、放電ランプ点灯装置１８は、商用交流電源Ｖｓおよびランプ点灯手段としてのランプ点灯回路２０の間にスイッチＳＷ１が設けられている。スイッチＳＷ１は、例えば壁スイッチやプルスイッチである。そして、スイッチＳＷ１の前段における電源電圧がランプ点灯回路２０の電源部２１に入力されている。電源部２１は、交流電圧を直流電圧に変換すると共に、所定の電圧値に調節して主制御部１２などに駆動電源を供給するものである。すなわち、主制御部１２は、スイッチＳＷ１がオフされても動作している。
【００６１】
放電ランプ点灯装置１８は、蛍光ランプ３の累積点灯時間または累積点滅回数がそれぞれ点灯寿命値または点滅寿命値に到達していないときに、蛍光ランプ３がランプソケットから取り外されて、リミットスイッチ１９からオフ信号が入力されると、累積点灯時間および累積点滅回数をリセットしない。そして、蛍光ランプ３がランプソケットに再装着され、リミットスイッチ１９からオン信号が入力されると、蛍光ランプ３の累積点灯時間の計時および累積点滅回数のカウントの継続を行う。
【００６２】
そして、蛍光ランプ３の累積点灯時間または累積点滅回数がそれぞれ点灯寿命値または点滅寿命値に達し、蛍光ランプ３の寿命が報知された後に、リミットスイッチ１９からオフ信号が入力されると、主制御部１２は、リセット部１５に累積点灯時間および累積点滅回数をリセットさせる。そして、新品の蛍光ランプ３がランプソケットに装着されて、リミットスイッチ１９からオン信号が入力されると、新品の蛍光ランプ３に対する累積点灯時間の計時および累積点滅回数のカウントを行う。
【００６３】
放電ランプ点灯装置１８は、スイッチＳＷ１がオフされ、蛍光ランプ３が消灯しているときにおいても、蛍光ランプ３の清掃やランプ交換などの保守作業が行える。
【００６４】
次に、本発明の第３の実施形態について述べる。
【００６５】
図３は、本発明の第３の実施形態を示す照明器具の外観図である。なお、図１と同一部分には同一符号を付して説明は省略する。
【００６６】
図３に示す照明器具２２は、天井などの造営物に設置される直付け照明器具であり、照明器具本体２３が造営物に取り付けられている。照明器具本体２３は、反射面２４ａを有するカバー２４が配設され、その両端に一対のランプソケット２５，２５が設けられている。そして、照明器具本体２３の一側面に外部スイッチ１７が露出して設けられている。また、照明器具本体２３は、カバー２４内に放電ランプ用点灯装置２６を配設している。放電ランプ用点灯装置２６は、図１に示す放電ランプ点灯装置１において、蛍光ランプ３が除去されたものである。そして、蛍光ランプ３は、ランプソケット２５，２５に装着されている。
【００６７】
蛍光ランプ３の累積点灯時間または累積点滅回数がそれぞれ予め設定された点灯寿命値または点滅寿命値に達すると、蛍光ランプ３は、点滅または明暗点灯され、寿命が報知される。そして、蛍光ランプ３をランプソケット２５，２５から取り外すと、当該蛍光ランプ３の累積点灯時間および累積点滅回数が自動的にリセットされる。そして、新品の蛍光ランプ３がランプソケット２５，２５に装着されると、放電ランプ用点灯装置２６において、新品の蛍光ランプ３に対する累積点灯時間の計時および累積点滅回数のカウントが行われ、当該累積点灯時間および累積点滅回数は、メモリ部１６に記憶される。
【００６８】
そして、蛍光ランプ３の寿命が報知される前において、蛍光ランプ３や照明器具２２の清掃などの保守作業を行うために、蛍光ランプ３をランプソケット２５，２５から取り外すと、放電ランプ用点灯装置２６において、当該蛍光ランプ３に対する累積点灯時間および累積点滅回数はリセットされない。そして、清掃などの保守作業後に、取り外した蛍光ランプ３をランプソケット２５，２５に再装着すると、放電ランプ用点灯装置２６において、当該蛍光ランプ３に対する累積点灯時間の計時および累積点滅回数のカウントが継続して行われる。
【００６９】
そして、蛍光ランプ３の汚れがひどくて光束の低下が著しいことや蛍光ランプ３が不安定点灯することなどにより、蛍光ランプ３の寿命が報知される前に、新品の蛍光ランプ３に交換することがある。この場合、ランプソケット２５，２５から蛍光ランプ３を取り外しても、放電ランプ用点灯装置２６において、蛍光ランプ３の累積点灯時間および累積点滅回数は自動的にリセットされないので、外部スイッチ１７を一度オンさせる。これにより、放電ランプ用点灯装置２６において、蛍光ランプ３の累積点灯時間および累積点滅回数はリセットされる。そして、新品の蛍光ランプ３がランプソケット２５，２５に装着されると、放電ランプ用点灯装置２６おいて、交換された新品の蛍光ランプ３に対して累積点灯時間の計時および累積点滅回数のカウントが行われるようになる。
【００７０】
上述したように、照明器具２２は、ランプソケット２５，２５に蛍光ランプ３を着脱させるのみで、累積点灯時間および累積点滅回数が自動的にリセットまたは継続される。
【００７１】
なお、照明器具２２は、通常、照明エリアごとに複数個配設されているので、蛍光ランプ３の交換または清掃などの保守作業を行うときに、商用交流電源Ｖｓの投入をオフすると、暗い中での保守作業となって危険であり、また、周囲の作業者に不快感を与えるおそれがある。したがって、ランプソケット２５，２５への蛍光ランプ３の着脱は、商用交流電源Ｖｓが投入されているときに行われている。
【００７２】
【発明の効果】請求項１の発明によれば、放電ランプの累積点灯時間が予め設定された点灯寿命値以上となったときに、新品の放電ランプへの交換が行われると、放電ランプの累積点灯時間を自動的にリセットさせることができる。また、累積点灯時間が点灯寿命値を下回っているときに、ランプ点灯手段および放電ランプが非接続となっても、累積点灯時間のリセットが行われず、清掃などの保守作業を時間の制約がなく行うことができるとともに、保守作業の後、ランプ点灯手段および放電ランプの再接続により、累積点灯時間の計時を継続することができる。
【００７３】
請求項２の発明によれば、放電ランプの累積点滅回数が予め設定された点滅寿命値以上となったときに、新品の放電ランプへの交換が行われると、放電ランプの累積点滅回数を自動的にリセットさせることができる。また、累積点滅回数が点滅寿命値を下回っているときに、ランプ点灯手段および放電ランプが非接続となっても、累積点滅回数のリセットが行われず、清掃などの保守作業を時間の制約がなく行うことができるとともに、保守作業の後、ランプ点灯手段および放電ランプの再接続により、累積点滅回数のカウントを継続することができる。
【００７４】
請求項３の発明によれば、放電ランプの累積点灯時間または累積点滅回数が点灯寿命値または点滅寿命値に達していないときであっても、放電ランプを新品の放電ランプに交換するときに、リセット手段に外部信号を入力することにより、強制的に累積点灯時間または累積点滅回数をリセットすることができる。
【００７５】
請求項４の発明によれば、放電ランプのランプソケットへの着脱のみにより、累積点灯時間または累積点滅回数が自動的にリセットまたは継続される照明器具を提供することができる。
【図面の簡単な説明】
【図１】本発明の第１の実施形態を示す放電ランプ点灯装置のブロック図。
【図２】本発明の第２の実施形態を示す放電ランプ点灯装置のブロック図。
【図３】本発明の第３の実施形態を示す照明器具の外観図。
【符号の説明】
１，１８…放電ランプ点灯装置、２，２０…ランプ点灯手段としてのランプ点灯回路、３…放電ランプとしての蛍光ランプ、４…ランプ接続検出手段としてのランプ接続検出回路、１２…累積計時手段、累積カウント手段およびリセット手段を構成する主制御部、１３…累積計時手段を構成するタイマ部、１４…累積カウント手段を構成するカウンタ部、１５…リセット手段を構成するリセット部、１７…リセット手段を構成する外部スイッチ、１９…ランプ接続検出手段としてのリミットスイッチ、２２…照明器具、２３…照明器具本体
【図１】
2004288576.tif 000003
【図２】
2004288576.tif 000004
【図３】
2004288576.tif 000005